(57)【要約】【課題】液晶表示パネルの透明基板の張出部に可撓配線基板を確実に接続でき、しかも張出部を縮小させる。【解決手段】一方の透明基板のドライバＩＣが搭載されている張出部における可撓配線基板の固定位置を他方の透明基板の側辺と前記張出部の側辺の間であって、ドライバＩＣが搭載されていない領域とする。【選択図】      図１
2004233887.tif 000002
【特許請求の範囲】
【請求項１】
一対の基板間に液晶を封入してなる液晶表示パネルと、前記液晶表示パネルの他方の基板の側辺より張り出すように形成された一方の基板の張出部に搭載され液晶表示パネルを駆動する少なくとも１個のドライバＩＣと、前記一方の基板の張出部に固定され前記ドライバＩＣに給電を行なう可撓配線基板とを有する液晶表示装置において、
前記可撓配線基板の前記張出部における固定位置は前記他方の基板の側辺と前記張出部の側辺の間であって前記ドライバＩＣが搭載されていない領域に存在することを特徴とする液晶表示装置。
【発明の詳細な説明】
【０００１】
【発明の属する技術分野】
本発明は液晶表示装置に係り、特に、ドライバＩＣと可撓配線基板を液晶表示パネルに固定する固定位置を改良した液晶表示装置に関する。
【０００２】
【従来の技術】
液晶駆動用のドライバＩＣは、液晶表示パネルを駆動する回路を備えた電子部品であり、通常は、チップ状のＩＣを液晶表示パネルの表示用配線パターンに接続するようにして搭載されている。
【０００３】
前記ドライバＩＣの搭載方法として、配線パターンが形成された可撓配線基板にドライバＩＣを搭載して、さらに可撓配線基板を液晶表示パネルと接続したＴＣＰ（Ｔａｐｅ  Ｃａｒｒｉｅｒ  Ｐａｃｋａｇｅ）方式が広く使用されている。これに対し、液晶表示パネルにドライバＩＣを直接搭載する方式も行われている。透明基板上の電極端子にドライバＩＣを直接搭載する方式を一般的にＣＯＧ（Ｃｈｉｐ  Ｏｎ  Ｇｌａｓｓ）  方式と称し、プラスチックなどの透明基板上の電極端子にドライバＩＣを直接搭載するものも含まれる。
【０００４】
そして、液晶表示パネルにドライバＩＣをＣＯＧ方式により搭載すると、ＴＣＰ方式に比べて部品点数を少なくすることができ、その結果、液晶表示パネルを軽く、薄く、微細に、しかも安価にすることができる。
【０００５】
図２は、従来の液晶表示パネルとドライバＩＣならびに可撓配線基板の接続状態を示した概略斜視図である。
【０００６】
従来の液晶表示パネル１０は、ガラスあるいはプラスチック等からなる平面長方形状の第１の透明基板１１と、この第１の透明基板１１と同材料で構成された平面長方形状の第２の透明基板１２とを有している。これらの一対の透明基板１１，１２は、スペーサを兼ねる導電性粒子の混入されたシール材１３を介して貼り合わされており、このシール材１３の開口部１４から液晶を注入し、その後、封止材１５によりこの開口部１４が封止される。前記各透明基板１１，１２の外側表面には、図示しない偏光板がそれぞれ配設されている。さらに、第１の透明基板１１の第２の透明基板１２との対向面には、複数のコモン電極１６が縞状に形成されており、第２の透明基板１２の第１の透明基板１２との対向面には、前記コモン電極１６と直交する方向に複数のセグメント電極１７が縞状に形成されている。
【０００７】
また、第２の透明基板１２の隣り合う２側辺１２ａ，１２ｂは、第１の透明基板１１の対応する２側辺１１ａ，１１ｂから張り出した張出部１８とされており、この張出部１８には、前記コモン電極１６を駆動するためのコモン電極用ドライバＩＣ１９と、前記セグメント電極１７を駆動するためのセグメント電極用ドライバＩＣ２０が、前述したＣＯＧ方式により搭載されている。
【０００８】
そして、前記張出部１８における前記セグメント電極用ドライバＩＣ２０の外側の領域に前記両ドライバＩＣ１９，２０に給電を行なうための可撓配線基板２１が接続されている。すなわち、前記張出部１８における前記可撓配線基板２１の固定位置は、前記セグメント電極用ドライバＩＣ２０の外側の領域である。
【０００９】
【特許文献１】
特開２００２−３１４２０６号公報  （第５−６頁、第１−２図）
【００１０】
【発明が解決しようとする課題】
従来の液晶表示パネルにおいては、可撓配線基板２１が、第２の透明基板１２の張出部１８に搭載されたセグメント電極用ドライバＩＣ２０の外側の領域に接続されていたため、透明基板１２の張出部１８に可撓配線基板２１と接続する幅を確保する必要がある。例えば、透明基板１２の張出部１８に可撓配線基板２１の接続幅を大きくとれない場合は、透明基板１２と可撓配線基板２１との接続強度が弱く、液晶表示装置として可撓配線基板２１を彎曲して使用した際、透明基板１２と可撓配線基板２１の接続部において可撓配線基板２１を剥離させる方向の力が作用し、配線の一部が離間するおそれがあった。
【００１１】
このため、透明基板１２の張出部１８におけるセグメント電極用ドライバＩＣ２０の搭載された外側の領域に可撓配線基板２１を確実に接続するためには比較的大きな幅の接続代となる領域が必要であるため、液晶表示パネルの小型化の要請に伴う透明基板１２の張出部１８の張出幅の縮小化の妨げとなっていた。
【００１２】
本発明はこのような従来のものにおける問題点に鑑みてなされたもので、液晶表示パネルの透明基板の張出部に可撓配線基板を確実に接続でき、しかも張出部の張出幅寸法を縮小させることのできる液晶表示パネルを提供することを目的としている。
【００１３】
【課題を解決するための手段】
可撓配線基板の張出部における固定位置は他方の基板の側辺と張出部の側辺の間であってドライバＩＣが搭載されていない領域に存在する点にある。
【００１４】
このような構成を採用したことにより、基板の張出部に搭載されたドライバＩＣの外側に可撓配線基板を接続するためにに張出部の幅寸法を大きく設ける必要がなくなり張出部を縮小することができる。
【００１５】
【発明の実施の形態】
以下、図１を用いて本発明に係る液晶表示パネルについて説明する。
【００１６】
図１は、本発明に係る液晶表示パネルの実施形態を示す平面図であり、具体的には液晶表示パネルと可撓配線基板の接続状態を示している。
【００１７】
なお、本実施形態における液晶表示パネルの構成は、従来例とほぼ同様の構成とすることができるため、図１には本発明の要部に関連する構成のみを示し、その他の構成についての詳細な説明は省略する。
【００１８】
本実施形態における液晶表示パネル１は、ガラスあるいはプラスチック等からなる平面長方形状の第１の透明基板２と、この第１の透明基板２と同材料で構成された第２の透明基板３とを有している。これらの一対の透明基板２，３と図示しないシール材とに囲繞された空間には液晶が封入されており、また、各透明基板２，３の外側表面には図示しない偏光板がそれぞれ配設されている。さらに、第１の透明基板２の第２の透明基板３との対向面には、複数のコモン電極（図示せず）が縞状に形成されており、第２の透明基板３の第１の透明基板２との対向面には、前記コモン電極と直交する方向に複数のセグメント電極（図示せず）が縞状に形成されている。
【００１９】
また、第２の透明基板３の隣り合う２側辺３ａ，３ｂは、第１の透明基板２の対応する２側辺２ａ，２ｂから張り出した張出部４とされており、この張出部４には、前記コモン電極を駆動するための３個のコモン電極用ドライバＩＣ５ａ，５ｂ，５ｃと、前記セグメント電極を駆動するための１個のセグメント電極用ＩＣ６が、前述したＣＯＧ方式により搭載されている。
【００２０】
すなわち、前記各コモン電極用ドライバＩＣ５ａ，５ｂ，５ｃは、前記両透明基板２，３の側辺２ａ，３ａの間の領域に配置されている。
【００２１】
なお、前記各コモン電極用ＩＣ５ａ，５ｂ，５ｃと前記セグメント電極用ドライバＩＣ６を１つのドライバＩＣにより兼用することも可能である。
【００２２】
そして、本発明においては、透明基板３の張出部４における前記透明基板２の側辺２ａと前記張出部４の側辺３ａの間であって、各コモン電極用ドライバＩＣ５ａ，５ｂ，５ｃの搭載されていない位置に、各ドライバＩＣ５，６に給電を行なう可撓配線基板７が接続されている。
【００２３】
前述した構成からなる本実施形態の液晶表示装置によれば、可撓配線基板７が張出部４において透明基板２の側辺２ａと前記張出部４の側辺３ａの間であってコモン電極用ドライバＩＣチップ５ｃの搭載されていない領域に接続されているので、各ドライバＩＣ５，６に可撓配線基板７の接続を阻害されることがなく、よって、透明基板２の張出部４における可撓配線基板７接続幅を広くとることができる。したがって、可撓配線基板７を彎曲して使用しても可撓配線基板７が透明基板３から剥離するおそれがない。
【００２４】
また、各ドライバＩＣ５，６の外側に可撓配線基板７の接続領域を設ける必要がなくなり、張出部４を縮小することができる。
【００２５】
なお、本発明は、前述した実施形態に限定されるものではなく、必要に応じて種々の変更が可能である。
【００２６】
例えば、本実施形態において可撓配線基板はコモン電極用ドライバＩＣが搭載されている側の張出部に接続されているが、セグメント電極用ドライバＩＣが搭載されている側の張出部に接続されてもよい。
【００２７】
【発明の効果】
以上説明したように本発明によれば、液晶表示パネルに可撓配線基板を接続する際、透明基板の張出部における可撓配線基板の接続幅を広くとることができ、液晶表示装置として可撓配線基板を彎曲して使用しても、液晶表示パネルと可撓配線基板との固着を強固に保持することができる。また、透明基板の張出部におけるドライバＩＣの外側の領域に可撓配線基板用の接続領域を設ける必要がなくなるため、透明基板の張出部の幅寸法を縮小することができ、液晶表示装置の小型化に寄与することができる。
【図面の簡単な説明】
【図１】本発明に係る液晶表示装置の実施形態を示す概略平面図
【図２】従来の液晶表示パネルとドライバＩＣならびに可撓配線基板の接続状態を示した概略斜視図
【符号の説明】
１  液晶表示パネル
２  第１の透明基板
３  第２の透明基板
４  張出部
５ａ，５ｂ，５ｃ  コモン電極用ＩＣチップ
６  セグメント電極用ＩＣチップ
７  可撓配線基板
１０  液晶表示パネル
１１  第１の透明基板
１１ａ，１１ｂ  側辺
１２  第２の透明基板
１２ａ，１２ｂ  側辺
１３  シール材
１４  開口部
１５  封止材
１６  コモン電極
１７  セグメント電極
１８  張出部
１９  コモン電極用ドライバＩＣ
２０  セグメント電極用ドライバＩＣ
２１  可撓配線基板
【図１】
2004233887.tif 000003
【図２】
2004233887.tif 000004